(57)【要約】【課題】胴回り部に伸縮性シートが設けられたパンツ型吸収性物品を引き上げやすくすること。【解決手段】吸収性コア（１１Ａ）、第１胴回り部（２０）、第２胴回り部（３０）を有するパンツ型吸収性物品（１）であって、第１胴回り部（１０）は伸縮性シート（２４）と非伸縮性シート（２１，２２）とを有し、伸縮性シート（２４）は左右方向に沿う一端、及び、他端を有し、伸縮性シート（２４）の一端は他端よりも上方に位置し、伸縮性シート（２４）は、一端の側の部位がめくれためくれ領域（２４１）と、他端の側の部位が非伸縮性シート（２１，２２）に固定された固定領域（２４２）とを有すること。【選択図】図５
2019118579.tif 000002
【特許請求の範囲】
【請求項１】
上下方向、及び、左右方向を有し、
吸収性コア、第１胴回り部、及び、第２胴回り部を有するパンツ型吸収性物品であって、
前記第１胴回り部は、前記左右方向に伸縮する伸縮性シートと、前記伸縮性シートに積層された非伸縮性シートと、を有し、
前記伸縮性シートは、前記左右方向に沿う一端、及び、他端を有し、
前記伸縮性シートの前記一端は、前記他端よりも上方に位置し、
前記伸縮性シートは、前記一端の側の部位がめくれためくれ領域と、前記他端の側の部位が前記非伸縮性シートに固定された固定領域と、を有することを特徴とするパンツ型吸収性物品。
【請求項２】
請求項１に記載のパンツ型吸収性物品であって、
前記めくれ領域は、前記伸縮性シートの前記一端の側の部位がめくれて前記上下方向に折り返された領域であることを特徴とするパンツ型吸収性物品。
【請求項３】
請求項２に記載のパンツ型吸収性物品であって、
前記めくれ領域は、前記伸縮性シートに対向する対向面を有し、
前記めくれ領域の前記対向面は、対向する前記伸縮性シートの部位に固定されていないことを特徴とするパンツ型吸収性物品。
【請求項４】
請求項２又は３に記載のパンツ型吸収性物品であって、
前記めくれ領域は、前記伸縮性シートに対向する対向面とは反対側の反対側面を有し、
前記めくれ領域の前記反対側面は、前記パンツ型吸収性物品が有するシートに固定されていないことを特徴とするパンツ型吸収性物品。
【請求項５】
請求項２又は３に記載のパンツ型吸収性物品であって、
前記めくれ領域は、前記伸縮性シートに対向する対向面とは反対側の反対側面を有し、
前記めくれ領域の前記反対側面は、前記パンツ型吸収性物品が有するシートに固定されていることを特徴とするパンツ型吸収性物品。
【請求項６】
請求項２から５の何れか１項に記載のパンツ型吸収性物品であって、
前記伸縮性シートの前記一端の側の部位が前記上下方向に折り返されて、前記めくれ領域が形成されている状態で、
前記左右方向における前記第１胴回り部の両側端部と、前記左右方向における前記第２胴回り部の両側端部とが、溶着されていることを特徴とするパンツ型吸収性物品。
【請求項７】
請求項２から６の何れか１項に記載のパンツ型吸収性物品であって、
前記伸縮性シートを前記非伸縮性シートに固定する固定部を有し、
前記固定部は、前記左右方向に沿う一端、及び、他端を有し、
前記固定部の前記一端は、前記他端よりも上方に位置し、
前記固定部の前記一端の側の部位は、下方向に折り返されていないことを特徴とするパンツ型吸収性物品。
【請求項８】
請求項２から７の何れか１項に記載のパンツ型吸収性物品であって、
前記伸縮性シートは、前記左右方向に沿う折り線で上下方向に折り返されており、
前記めくれ領域は、前記折り線で折り返された前記伸縮性シートの部位に対して、前記伸縮性シートの前記一端の側の部位が前記上下方向にめくれて折り返された領域であることを特徴とするパンツ型吸収性物品。
【発明の詳細な説明】
【技術分野】
【０００１】
本発明は、パンツ型吸収性物品に関する。
【背景技術】
【０００２】
パンツ型吸収性物品として、パンツ型使い捨ておむつが知られている。特許文献１には、前身頃外装体と後身頃外装体の間に吸収性本体が架橋され、前身頃外装体と後身頃外装体の幅方向両側縁が互いに接合され、腰周り開口部が形成されたパンツ型使い捨ておむつが開示されている。前身頃外装体、及び、後身頃外装体では、腰周り伸縮材が、インナーシートとアウターシート（非伸縮性シート）の間に伸長状態で固定されている。
【先行技術文献】
【特許文献】
【０００３】
【特許文献１】特開２０１３−１３８７９５号
【発明の概要】
【発明が解決しようとする課題】
【０００４】
特許文献１では、腰周り伸縮材として糸状の伸縮材が例示されているが、代わりに伸縮性シートを利用することで、前身頃外装体や後身頃外装体（胴回り部）を面で着用者に密着させることができる。そのため、伸縮材の跡を残り難くすることができる。
【０００５】
ただし、おむつ着用のために胴回り部が引き上げられる際に、伸縮性シートが設けられた胴回り部は、糸状の伸縮材が設けられた胴回り部に比べて、指が引っ掛かりにくく、引き上げにくい。
【０００６】
本発明は、上記のような従来の問題に鑑みてなされたものであって、その目的は、胴回り部に伸縮性シートが設けられたパンツ型吸収性物品を引き上げやすくすることである。
【課題を解決するための手段】
【０００７】
上記目的を達成するための主たる発明は、上下方向、及び、左右方向を有し、吸収性コア、第１胴回り部、及び、第２胴回り部を有するパンツ型吸収性物品であって、前記第１胴回り部は、前記左右方向に伸縮する伸縮性シートと、前記伸縮性シートに積層された非伸縮性シートと、を有し、前記伸縮性シートは、前記左右方向に沿う一端、及び、他端を有し、前記伸縮性シートの前記一端は、前記他端よりも上方に位置し、前記伸縮性シートは、前記一端の側の部位がめくれためくれ領域と、前記他端の側の部位が前記非伸縮性シートに固定された固定領域と、を有することを特徴とするパンツ型吸収性物品である。
本発明の他の特徴については、本明細書及び添付図面の記載により明らかにする。
【発明の効果】
【０００８】
本発明によれば、胴回り部に伸縮性シートが設けられたパンツ型吸収性物品を引き上げやすくすることができる。
【図面の簡単な説明】
【０００９】
【図１】パンツ型使い捨ておむつ１（以下「おむつ」）の斜視図である。
【図２】展開かつ伸長状態のおむつ１の平面図である。
【図３】図２のＩＩ線での断面図である。
【図４】製造途中の腹側胴回り部２０の断面図である。
【図５】製品状態の腹側胴回り部２０の断面図である。
【図６】図４に示す腹側胴回り部２０の平面図である。
【図７】めくれ領域２４１の変形例を説明する図である。
【図８】図８Ａ及び図８Ｂは腹側胴回り部２０の変形例の断面図である。
【図９】腹側胴回り部２０の変形例の断面図である。
【図１０】腹側胴回り部２０の変形例の断面図である。
【図１１】腹側胴回り部２０の変形例の断面図である。
【発明を実施するための形態】
【００１０】
本明細書及び添付図面の記載により、少なくとも以下の事項が明らかとなる。  
上下方向、及び、左右方向を有し、吸収性コア、第１胴回り部、及び、第２胴回り部を有するパンツ型吸収性物品であって、前記第１胴回り部は、前記左右方向に伸縮する伸縮性シートと、前記伸縮性シートに積層された非伸縮性シートと、を有し、前記伸縮性シートは、前記左右方向に沿う一端、及び、他端を有し、前記伸縮性シートの前記一端は、前記他端よりも上方に位置し、前記伸縮性シートは、前記一端の側の部位がめくれためくれ領域と、前記他端の側の部位が前記非伸縮性シートに固定された固定領域と、を有することを特徴とするパンツ型吸収性物品である。
【００１１】
このようなパンツ型吸収性物品によれば、めくれ領域において、伸縮性シートが第１胴回り部の厚さ方向に立ち上がったり、上下方向に折り返されたりすることで、めくれ領域が位置する第１胴回り部の部分の厚さが増し、その厚くなった部分が持ち手となり、パンツ型吸収性物品を引き上げやすくなる。
【００１２】
かかるパンツ型吸収性物品であって、前記めくれ領域は、前記伸縮性シートの前記一端の側の部位がめくれて前記上下方向に折り返された領域であることを特徴とするパンツ型吸収性物品である。
【００１３】
このようなパンツ型吸収性物品によれば、めくれ領域が位置する第１胴回り部の部分の厚さが増し、その厚くなった部分が持ち手となり、パンツ型吸収性物品を引き上げやすくなる。
【００１４】
かかるパンツ型吸収性物品であって、前記めくれ領域は、前記伸縮性シートに対向する対向面を有し、前記めくれ領域の前記対向面は、対向する前記伸縮性シートの部位に固定されていないことを特徴とするパンツ型吸収性物品である。
【００１５】
このようなパンツ型吸収性物品によれば、めくれ領域と伸縮性シートとの間に空間が形成され、めくれ領域が位置する第１胴回り部の部分の厚さがさらに増す。
【００１６】
かかるパンツ型吸収性物品であって、前記めくれ領域は、前記伸縮性シートに対向する対向面とは反対側の反対側面を有し、前記めくれ領域の前記反対側面は、前記パンツ型吸収性物品が有するシートに固定されていないことを特徴とするパンツ型吸収性物品である。
【００１７】
このようなパンツ型吸収性物品によれば、めくれ領域とシートとの間に空間が形成され、めくれ領域が位置する第１胴回り部の部分の厚さがさらに増す。
【００１８】
かかるパンツ型吸収性物品であって、前記めくれ領域は、前記伸縮性シートに対向する対向面とは反対側の反対側面を有し、前記めくれ領域の前記反対側面は、前記パンツ型吸収性物品が有するシートに固定されていることを特徴とするパンツ型吸収性物品である。
【００１９】
このようなパンツ型吸収性物品によれば、めくれ領域が位置する第１胴回り部の部分の剛性が高まり、その部分をユーザーは把持しやすくなる。
【００２０】
かかるパンツ型吸収性物品であって、前記伸縮性シートの前記一端の側の部位が前記上下方向に折り返されて、前記めくれ領域が形成されている状態で、前記左右方向における前記第１胴回り部の両側端部と、前記左右方向における前記第２胴回り部の両側端部とが、溶着されていることを特徴とするパンツ型吸収性物品である。
【００２１】
このようなパンツ型吸収性物品によれば、めくれ領域における伸縮性シートの折り返しを維持でき、めくれ領域が位置する第１胴回り部の部分の厚さを維持できる。
【００２２】
かかるパンツ型吸収性物品であって、前記伸縮性シートを前記非伸縮性シートに固定する固定部を有し、前記固定部は、前記左右方向に沿う一端、及び、他端を有し、前記固定部の前記一端は、前記他端よりも上方に位置し、前記固定部の前記一端の側の部位は、下方向に折り返されていないことを特徴とするパンツ型吸収性物品である。
【００２３】
このようなパンツ型吸収性物品によれば、第１胴回り部の上端部において固定部の層が１層となり、第１胴回り部の上端部を柔らかくでき、着用者の肌を刺激してしまうことを防止できる。
【００２４】
かかるパンツ型吸収性物品であって、前記伸縮性シートは、前記左右方向に沿う折り線で上下方向に折り返されており、前記めくれ領域は、前記折り線で折り返された前記伸縮性シートの部位に対して、前記伸縮性シートの前記一端の側の部位が前記上下方向にめくれて折り返された領域であることを特徴とするパンツ型吸収性物品である。
【００２５】
このようなパンツ型吸収性物品によれば、伸縮性シートが複数回折り返されることで、めくれ領域が位置する第１胴回り部の部分の厚さがさらに増す。
【００２６】
＝＝＝実施形態＝＝＝
以下、本発明に係るパンツ型吸収性物品として、乳幼児用の使い捨ておむつを例に挙げて実施形態を説明する。ただし、本発明に係るパンツ型吸収性物品は、乳幼児用の使い捨ておむつに限らず、大人用の使い捨ておむつや、生理用ショーツ等としても利用可能である。
【００２７】
＝＝＝パンツ型使い捨ておむつ１の構成＝＝＝
図１は、パンツ型使い捨ておむつ１（以下「おむつ」）の斜視図である。図２は、展開かつ伸長状態のおむつ１の平面図である。図３は、図２のＩＩ線での断面図である。
【００２８】
おむつ１は、図１に示すパンツ型状態において、上下方向、及び、左右方向を有し、胴回り開口部ＢＨ、及び、一対の脚回り開口部ＬＨが形成されている。上下方向において、胴回り開口部ＢＨ側を上側とし、股下側を下側とする。また、図３に示すように、おむつ１を構成する資材が積層された方向を厚さ方向といい、厚さ方向において着用者に接触する側を肌側といい、着用者に接触しない側を非肌側という。
【００２９】
また、おむつ１は、平面視長方形状の３部材である、吸収性本体１０、腹側胴回り部２０、及び、背側胴回り部３０を有する。腹側胴回り部２０は着用者の腹側部に当てられ、背側胴回り部３０は着用者の背側部に当てられる。
【００３０】
図２に示す展開状態のおむつ１において、腹側胴回り部２０及び背側胴回り部３０は、それらの長手方向がおむつ１の左右方向に沿うように配置されている。そして、左右方向における腹側胴回り部２０の中央部に、吸収性本体１０の長手方向一方側の端部が配置され、左右方向における背側胴回り部３０の中央部に、吸収性本体１０の長手方向他方側の端部が配置されている。
【００３１】
図２に示す展開状態のおむつ１において、吸収性本体１０の長手方向がおむつ１の上下方向に沿うように、吸収性本体１０が長手方向の略中央で二つ折りされ、おむつ１の左右方向における腹側胴回り部２０の両側端部と背側胴回り部３０の両側端部とが、熱溶着や超音波溶着等で接合されて、一対の接合領域２が形成されることにより、図１に示すパンツ型状態のおむつ１となる。
【００３２】
吸収性本体１０は、図３に示すように、吸収体１１と、吸収体１１よりも肌側に配置された液透過性のトップシート１２と、吸収体１１よりも非肌側に配置された液不透過性のバックシート１３と、バックシート１３よりも非肌側に配置された外装シート１４とを有する。
【００３３】
吸収体１１は、尿等の排泄液を吸収して保持する吸収性コア１１Ａと、吸収性コア１１Ａを覆う液透過性のコアラップシート１１Ｂとを有する。吸収性コア１１Ａとしては、高吸収性ポリマー（ＳＡＰ）を含むパルプ等の液体吸収性繊維が所定の形状に成形されたものを例示できる。
【００３４】
また、図２に示すように、左右方向における吸収性本体１０の両側部には、脚回り弾性部材１５が設けられており、おむつ１は着用者の脚回りにフィットする。脚回り弾性部材１５は、例えば、左右方向の内側に折り返されて２層となった外装シート１４の間において、吸収性本体１０の長手方向に伸長状態で固定されている。脚回り弾性部材１５としては、糸状弾性部材や伸縮性シートを例示できる。
【００３５】
腹側胴回り部２０及び背側胴回り部３０は、図３に示すように、それぞれ、内層シート２１，３１と、内層シート２１，３１に積層された外層シート２２，３２と、複数の糸状弾性部材２３，３３とを有する。
【００３６】
外層シート２２，３２は内層シート２１，３１よりも非肌側に配置されている。内層シート２１，３１及び外層シート２２，３２は吸収性本体１０よりも非肌側に配置されている。ただし、外層シート２２，３２の上方の端部２２１，３２１は下方向に折り返されて吸収性本体１０の長手方向の端部を肌側から覆っている。
【００３７】
内層シート２１，３１及び外層シート２２，３２単体は、おむつ１の左右方向の伸縮性を実質的に有さない非伸縮性シートである。内層シート２１，３１及び外層シート２２，３２としては、ＳＭＳ不織布（スパンボンド・メルトブローン・スパンボンド不織布）、スパンボンド不織布、エアスルー不織布、プラスチックシート、開孔プラスチックシート及びそれらのラミネートシートなどを用いることができる。
【００３８】
複数の糸状弾性部材２３，３３は、内層シート２１，３１と外層シート２２，３２の間において、上下方向に並んで配置されるとともに、左右方向に伸長状態で固定されている。よって、腹側胴回り部２０及び背側胴回り部３０は左右方向に伸縮し、着用者の胴回りにフィットする。糸状弾性部材２３，３３としては、ゴムやスパンデックス等の糸状弾性部材を例示できる。
【００３９】
背側胴回り部３０では、上端部から下端部に亘って糸状弾性部材３３が配置されている。一方、腹側胴回り部２０の上端部には、糸状弾性部材２３が配置されておらず、代わりに、左右方向に伸縮する伸縮性シート２４が配置されている。なお、本実施形態では、伸縮性シート２４の下端部と糸状弾性部材２３とが上下方向に重複して配置されているが、重複していなくてもよい。
【００４０】
このように、腹側胴回り部２０の上端部に糸状弾性部材２３を配置せずに伸縮性シート２４を配置することで、腹側胴回り部２０の上端部が面で着用者に密着する。そのため、局所的な締め付けが抑えられ、伸縮部材の跡を残り難くすることができる。特に乳幼児の腹部はぽっこり出ているため、腹側胴回り部２０の締め付けを抑えることが好ましい。
【００４１】
また、おむつ１着用時の胴回り開口部ＢＨの広げやすさについては、胴回り部２０，３０の上端部の伸縮力が大きく影響する。伸縮性シート２４は、自然状態から伸長しやすく、伸長状態から収縮しにくい性質を有する。そのため、腹側胴回り部２０の上端部に伸縮性シート２４を配置することで、おむつ１着用時に胴回り開口部ＢＨを広げやすくなり、また、胴回り部２０，３０を着用者にフィットさせた後の腹部の締め付けを防止できる。
【００４２】
伸縮性シート２４には、例えば、質量が１０〜４０ｇ／ｍ2、より好ましくは、質量が１５〜３０ｇ／ｍ2の弾性繊維から構成されたスパンボンド不織布、エアスルー不織布、ニードルパンチ不織布等、各種公知の製法によって製造された伸縮性の繊維不織布を用いることができる。弾性繊維は、熱可塑性エラストマーやゴムなどを原料とするものであって、特に熱可塑性エラストマーを原料として用いる場合には、通常の熱可塑性樹脂と同様に押出機を用いた溶融紡糸が可能であり、またそのようにして得られた繊維は熱融着させ易く、伸縮性の繊維不織布として好適である。熱可塑性エラストマーとしては、スチレン系エラストマー、オレフィン系エラストマー、ポリエステル系エラストマー、ポリウレタン系エラストマーを挙げることができる。これらは、一種を単独で又は二種以上を組み合わせて用いることができる。伸縮性シートは少なくとも左右方向に弾性を示すものであればよく、二方向以上に弾性を示すものであってもよい。伸縮性シート２４の左右方向の伸長倍率は１．２倍〜３.０倍程度が好ましい。
【００４３】
＝＝＝伸縮性シート２４の胴回り開口部ＢＨ側の端部＝＝＝
図４は、製造途中の腹側胴回り部２０の断面図である。図５は、製品状態の腹側胴回り部２０の断面図である。図６は、図４に示す腹側胴回り部２０の平面図である。なお、図４及び図５は腹側胴回り部２０の構成を模式的に示した図であり、腹側胴回り部２０の厚さが厚く描かれている。後述の断面図も同様である。また、図６では糸状弾性部材２３が省略されている。
【００４４】
前述のように、腹側胴回り部２０は、内層シート２１と、外層シート２２と、伸縮性シート２４とを有する。製造途中の状態（図４）において、厚さ方向の非肌側から順に、外層シート２２、内層シート２１、伸縮性シート２４が積層されている。
【００４５】
内層シート２１、外層シート２２、及び、伸縮性シート２４は、それぞれ、図６に示すように、左右方向に沿って延びる一端２１ａ、２２ａ、２４ａ、及び、他端２１ｂ、２２ｂ、２４ｂを有する。製品状態（図５）において、各シートの一端２１ａ、２２ａ、２４ａは他端２１ｂ、２２ｂ、２４ｂよりも上方に位置している。
【００４６】
内層シート２１及び外層シート２２は、間に塗布された不図示の接着剤によって接合されている。内層シート２１及び外層シート２２が本発明の非伸縮性シートに相当する。以下、内層シート２１及び外層シート２２を合わせて非伸縮性シートともいう。
【００４７】
製造途中の状態（図４）において、伸縮性シート２４及び外層シート２２は、内層シート２２よりも上方に延在している。また、外層シート２２は、伸縮性シート２４よりも上方に延在している。
【００４８】
製品状態（図５）では、外層シート２２は、内層シート２１の一端２１ａの位置を折り位置Ｆとして、下方向に折り返されている。折り返された外層シート２２の部位２２１は、吸収性本体１０の長手方向の端部を肌側から覆っている。また、折り返された外層シート２２の部位２２１は、接着剤４２によって、伸縮性シート２４及び吸収性本体１０に固定されている。
【００４９】
また、非伸縮性シート（内層シート２１及び外層シート２２）と、伸縮性シート２４との間には、ホットメルト接着剤等の接着剤４１が塗布されている。この接着剤４１により、伸縮性シート２４は非伸縮性シート２１，２２に固定されている。図６に示すように、接着剤４１の塗布領域は平面視長方形状の領域である。以下、接着剤４１の塗布領域を固定部４１ともいう。
【００５０】
なお、接着剤４１の塗布領域に対して、部分的に接着剤４１が塗布されていてもよいし、全域に接着剤４１が塗布されていてもよい。接着剤４１の塗布パターンとしては、ストライプパターン、スパイラルパターン、Ωパターン等の公知のパターンを例示できる。また、接着剤４１の塗布領域の平面形状は長方形状に限定されない。また、固定部は、接着剤４１に限らず、熱溶着や超音波溶着等により、伸縮性シート２４を非伸縮性シート２１，２２に固定した溶着領域であってもよい。
【００５１】
固定部４１は、図６に示すように、左右方向に沿って延びる一端４１ａ及び他端４１ｂを有する。製品状態（図５）において、固定部４１の一端４１ａは他端４１ｂよりも上方に位置している。
【００５２】
ところで、腹側胴回り部２０の上端部には、伸縮性シート２４は設けられているが、糸状弾性部材２３は設けられていない。伸縮性シート２４が設けられた領域は、糸状弾性部材２３が設けられた領域に比べて、表面の凹凸が小さく滑らかとなる。そのため、おむつ１の着用時に、ユーザーが腹側胴回り部２０を把持して引き上げる際に、指が引っ掛かりにくく、引き上げにくくなる。
【００５３】
そこで、固定部４１が、伸縮性シート２４の一端２４ａを上下方向に跨がないようにするとよい。つまり、伸縮性シート２４の一端２４ａの側の部位に固定部４１を設けないようにするとよい。具体的には、伸縮性シート２４を非伸縮性シート２１，２２に固定する際に（図４）、伸縮性シート２４の一端２４ａを固定部４１の一端４１ａよりも上方に延在させるとよい。そうすることで、製造途中に、伸縮性シート２４が有する収縮力によって、伸縮性シート２４の一端２４ａの側の部位がめくれる。
【００５４】
これは、おむつ１の製造工程において、伸縮性シート２４を非伸縮性シート２１，２２に固定した後の搬送中に、伸縮性シート２４に対する張力の掛かり方に微小な差が生じ、伸縮性シート２４が局所的に収縮することで、めくれると考えられる。また、伸縮性シート２４の伸長方向に交差する幅方向に、伸縮性シート２４を広げて戻した場合にも、めくれると考えられる。
【００５５】
つまり、伸縮性シート２４は、製品状態（図５）において、一端２４ａの側の部位がめくれた「めくれ領域２４１」と、他端２４ｂの側の部位が固定部４１によって非伸縮性シート２１，２２に固定された「固定領域２４２」とを有する。めくれ領域２４１とは、具体的には、固定部４１の一端４１ａ（上端）を起点に、伸縮性シート２４がめくれた領域であり、固定部４１の一端４１ａに当接する伸縮性シート２４の部位２４ｃから伸縮性シート２４の一端２４ａまでの領域である。
【００５６】
また、図５に示す固定部４１は、伸縮性シート２４の他端２４ｂ（下端）を上下方向に跨いで設けられている。そのため、伸縮性シート２４の他端２４ｂの側の部位は、めくれていない。よって、図５の場合、固定部４１の一端４１ａに当接する伸縮性シート２４の部位２４ｃから伸縮性シート２４の他端２４ｂまでの領域が、固定領域２４２となる。
【００５７】
ただし、上記に限らず、伸縮性シート２４の他端２４ｂの側の部位に固定部４１が設けられていなくてもよい。すなわち、伸縮性シート２４の他端２４ｂの側の部位も、一端２４ａの側の部位と同様に、めくれていてもよい。
【００５８】
めくれ領域２４１が位置する腹側胴回り部２０の部分では、伸縮性シート２４が折り返された分だけ厚さが増し、厚くなった部分に指が引っ掛かりやすい。つまり、厚くなった部分が持ち手となり、おむつ１（胴回り部２０，３０）を引き上げやすくなる。
【００５９】
特に、めくれ領域２４１は、おむつ１の製造方法が有する折り工程にて伸縮性シート２４が折り返されて形成されるのではなく、伸縮性シート２４の収縮力によって伸縮性シート２４が折り返されて形成される。そのため、図５等に示すように、伸縮性シート２４の上端部分が湾曲するように折り返される。すなわち、伸縮性シート２４の上端部分がカールしている。よって、めくれ領域２４１は固定領域２４２に対して浮きやすく、めくれ領域２４１と固定領域２４２との間に空間が形成される。ゆえに、めくれ領域２４１が位置する腹側胴回り部２０の部分は、ユーザーが把持しやすくなるほどに厚くなる。
【００６０】
また、ユーザーは、一般に、胴回り部２０，３０の上端部を把持して、おむつ１を引き上げる。そのため、伸縮性シート２４の一端２４ａの側の部位（すなわち胴回り開口部ＢＨ側の端部）がめくれるようにするとよい。また、本実施形態のおむつ１のように、伸縮性シート２４が腹側胴回り部２０の上端部に設けられている場合には、ユーザーが把持しやすい部分の腹側胴回り部２０の厚さを厚くできる。
【００６１】
なお、伸縮性シート２４が腹側胴回り部２０の上端部に設けられているとは、伸縮性シート２４の少なくとも一部が、上下方向における腹側胴回り部２０の中心ＣＬ（図５参照）よりも上方に位置していることとする。より好ましくは、伸縮性シート２４の全てが、腹側胴回り部２０の中心ＣＬよりも上方に位置しているとよい。
【００６２】
図７は、めくれ領域２４１の変形例を説明する図である。めくれ領域２４１は、図５に示すように伸縮性シート２４の一端２４ａの側の部位が折り返されているものに限定されない。めくれ領域２４１は、図７に示すように、伸縮性シート２４の一端２４ａの側の部位がめくれて、厚さ方向に立ち上がっているものでもよい。この場合にも、めくれ領域２４１が位置する腹側胴回り部２０の部分の厚さが増し、おむつ１を引き上げやすくなる。
【００６３】
また、図５に示すように、めくれて下方向に折り返されためくれ領域２４１は、めくれていない伸縮性シート２４の部位に対向する対向面２４１ａを有する。そして、めくれ領域２４１の対向面２４１ａは、対向する伸縮性シート２４の部位に固定されていないことが好ましい。図５では、めくれ領域２４１の対向面２４１ａは、固定領域２４２の肌側面に固定されていない。
【００６４】
つまり、伸縮性シート２４同士が接着剤等で固定されていないことが好ましい。そうすることで、めくれ領域２４１の対向面２４１ａとそれに対向する伸縮性シートとの間に空間が形成される。よって、めくれ領域２４１が位置する腹側胴回り部２０の部分の厚さがさらに増し、おむつ１を引き上げやすくなる。
【００６５】
また、図５に示すように、めくれ領域２４１は、伸縮性シート２４に対向する対向面２４１ａとは反対側の反対側面２４１ｂを有する。このめくれ領域２４の反対側面２４１ｂは、おむつ１が有するシートに固定されていないことが好ましい。図５では、めくれ領域２４１の反対側面２４１ｂは、下方向に折り返された外層シート２２の非肌画面に接着剤等で固定されていない。
【００６６】
そうすることで、めくれ領域２４１の反対面２４１ｂとそれに対向するシート（ここでは外層シート２２）との間にも空間が形成される。よって、めくれ領域２４１が位置する腹側胴回り部２０の部分の厚さがさらに増し、おむつ１を引き上げやすくなる。
【００６７】
なお、腹側胴回り部２０の構成は図５に示すものに限定されない。例えば、外層シート２２と共に内層シート２１も下方向に折り返されている構成や、内層シート２１のみ下方向に折り返されている構成や、内層シート２１及び外層シート２２が下方向に折り返されていない構成等であってもよい。そのため、めくれ領域２４１の反対側面２４１ｂが対向するシートは、外層シート２２に限定されず、下方向に折り返された内層シート２１や、非伸縮性シート２１，２２以外の別のシート等であってもよい。
【００６８】
また、パンツ型おむつ１は、左右方向における腹側胴回り部２０の両側端部と背側胴回り部３０の両側端部とが溶着で接合された一対の接合領域２を有する。図６に示すように、伸縮性シート２４は、左右方向において、接合領域２の形成位置よりも外側まで延びて設けられているとよい。そして、伸縮性シート２４の一端２４ａの側の部位が上下方向に折り返されて、めくれ領域２４１が形成されている状態で、接合領域２が形成されていることが好ましい。そうすることで、めくれ領域２４１の折り返し（カール）が維持される。よって、めくれ領域２４１が位置する腹側胴回り部２０の部分の厚さを維持できる。
【００６９】
また、伸縮性シート２４の一端２４ａの側の部位は下方向に折り返されて、めくれ領域２４１が形成されているが、固定部４１の一端４１ａの側の部位は、下方向に折り返されていない。
【００７０】
そのため、腹側胴回り部２０の上端部において固定部４１の層が１層となり、腹側胴回り部２０の上端部が柔らかい。腹側胴回り部２０の上端部が柔らかいと、腹側胴回り部２０の上端（エッジ）で着用者の肌を刺激してしまうことを防止できる。また、おむつ１の自然状態において、腹側胴回り部２０の上端部はフリル形状になりやすい。よって、おむつ１は柔らかく、着け心地がよいものであるという印象を、ユーザーに持ってもらうことができる。
【００７１】
＝＝＝変形例＝＝＝
図８Ａ及び図８Ｂは、腹側胴回り部２０の変形例の断面図である。図８Ａは、製造途中の腹側胴回り部２０の図であり、図８Ｂは、製品状態の腹側胴回り部２０の図である。図８Ｂの腹側胴回り部２０のように、下方向に折り返される外層シート２２の部位２２１に、伸縮性シート２４が固定部４１により固定されていてもよい。
【００７２】
この場合、製造途中の状態（図８Ａ）では、伸縮性シート２４の下端２４ａが、伸縮性シート２４の一端２４ａとなる。よって、伸縮性シート２４の一端２４ａ（下端）よりも上方に固定部４１を設けるとよい。そうすることで、製造途中に、伸縮性シート２４の収縮力によって、伸縮性シート２４の一端２４ａの側の部位がめくれて、めくれ領域２４１が形成される。よって、めくれ領域２４１が位置する腹側胴回り部２０の部分の厚さが増し、おむつ１を引き上げやすくなる。
【００７３】
図９から図１１は、腹側胴回り部２０の変形例の断面図である。前述の図５の腹側胴回り部２０では、伸縮性シート２４の上端、及び、固定部４１の上端（一端４１ａ）が、腹側胴回り部２０の上端２０ａまで位置している。
【００７４】
これに対して、図９及び図１０の腹側胴回り部２０では、伸縮性シート２４の上端、及び、固定部４１の上端（一端４１ａ）が、腹側胴回り部２０の上端２０ａよりも下方に位置している。つまり、腹側胴回り部２０の上端部において、伸縮性シート２４及び固定部４１が位置しない領域が存在する。そのため、図９及び図１０の腹側胴回り部２０では、図５の腹側胴回り部２０よりも上端部が柔らかくなる。よって、腹側胴回り部２０の上端（エッジ）２０ａで着用者の肌を刺激してしまうことを防止でき、また、おむつ１は柔らかく、着け心地がよいものであるという印象を、ユーザーに持ってもらうことができる。
【００７５】
また、図１０の腹側胴回り部２０では、下方向に折り返された外層シート２２の部位２２１に設けられた接着剤４２が、めくれ領域２４１に対向している。そのため、めくれ領域２４１の反対側面２４１ｂは、下方向に折り返された外層シート２２の部位２２１に接着剤４２で固定されている。
【００７６】
このように、めくれ領域２４１の反対側面２４１ｂを、おむつ１が有するシートに固定してもよい。そうすることで、めくれ領域２４１が位置する腹側胴回り部２０の部分の剛性を高められる。よって、ユーザーは、厚くなっためくれ領域２４１の部分を把持しやすくなり、おむつ１を引き上げやすくなる。なお、めくれ領域２４１の反対側面２４１ｂの少なくとも一部がシートに固定されていればよい。
【００７７】
図１１の腹側胴回り部２０では、伸縮性シート２４の一端２４ａの側の部位が、おむつ１の左右方向に沿う折り線Ｆで、外層シート２２及び固定部４１と共に下方向に折り返されている。つまり、おむつ１の製造方法が、伸縮性シート２４を下方向に折り返す工程を有している。そして、伸縮性シート２４の一端２４ａの側の部位（端部）には固定部４１が設けられていない。そのため、伸縮性シート２４の一端２４ａの側の部位は、折り線Ｆで折り返された伸縮性シート２４の部位に対してめくれて、上方向に折り返されている。
【００７８】
そのため、めくれ領域２４１における伸縮性シート２４の積層枚数が３枚となる。よって、図１１の腹側胴回り部２０では、伸縮性シート２４が２回折り返された分だけ腹側胴回り部２０の厚さがさらに増し、おむつ１を引き上げやすくなる。
【００７９】
また、図１１の腹側胴回り部２０では、めくれ領域２４１の両面（非肌側面及び肌側面）がそれぞれ伸縮性シート２４に対向している。そして、めくれ領域２４１の両面は、それぞれが対向する伸縮性シート２４の部位に固定されていない。よって、めくれ領域２４１の非肌側面と、折り返されていない伸縮性シート２４の部位との間に空間が形成され、かつ、めくれ領域２４１の肌側面と、折り線Ｆで折り返された伸縮性シート２４の部位との間にも空間が形成される。よって、めくれ領域２４１が位置する腹側胴回り部２０の部分の厚さがさらに増し、おむつ１を引き上げやすくなる。
【００８０】
なお、おむつ１の製造方法が、伸縮性シート２４の一端２４ａの側の部位を上下方向に折り返す工程は２回以上であってもよい。その場合、折り返しの回数分だけ、めくれ領域２４１における伸縮性シート２４１の積層枚数が増え、腹側胴回り部２０の厚さが増す。
【００８１】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００８２】
上記の実施形態では、腹側胴回り部２０が伸縮性シート２４を有し、腹側胴回り部２０が本発明の第１胴回り部に該当し、背側胴回り部２０が本発明の第２胴回り部に該当するが、これに限らない。例えば、背側胴回り部２０が伸縮性シート２４を有し、背側胴回り部３０が本発明の第１胴回り部に該当し、腹側胴回り部２０が本発明の第２胴回り部に該当する形態でもよい。また、本発明の第２胴回り部が伸縮性シートを有していてもよく、腹側胴回り部２０及び背側胴回り部３０が共に伸縮性シートを有する形態でもよい。その場合、第２胴回り部が有する伸縮性シートは（腹側胴回り部２０と背側胴回り部３０の何れか一方が有する伸縮性シートは）、一端の側の部位がめくれためくれ領域を有していても、有していなくてもよい。
【００８３】
また、上記の実施形態では、腹側胴回り部２０の上端部に伸縮性シート２４を配置しているが、これに限らず、上下方向における腹側胴回り部２０の何れの位置に伸縮性シート２４を配置してもよい。
【００８４】
また、上記の実施形態では、パンツ型吸収性物品として、腹側胴回り部２０と背側胴回り部３０が分離され、腹側胴回り部２０と背側胴回り部３０と吸収性本体１０の３部材を有する所謂３ピースタイプのおむつを例示したがこれに限らない。例えば、腹側胴回り部２０と背側胴回り部３０が股下部を介して連続した一部材で形成されており、腹側胴回り部２０と背側胴回り部３０が一体化された外装部材と、吸収性本体の２部材を有する所謂２ピースタイプのおむつであってもよい。
【符号の説明】
【００８５】
１  おむつ（パンツ型吸収性物品）、２  接合領域、
１０  吸収性本体、１１  吸収体、
１１Ａ  吸収性コア、１１Ｂ  コアラップシート、
１２  トップシート、１３  バックシート、
１４  外装シート、１５  脚回り弾性部材、
２０  腹側胴回り部（第１胴回り部）、
２１  内層シート（非伸縮性シート）、２２  外層シート（非伸縮性シート）、
２３  糸状弾性部材、２４  伸縮性シート、
３０  背側胴回り部（第２胴回り部）、３１  内層シート、
３２  外層シート、３３  糸状弾性部材、
４１  固定部（接着剤）、４２  接着剤、Ｆ  折り線
【図１】
2019118579.tif 000003
【図２】
2019118579.tif 000004
【図３】
2019118579.tif 000005
【図４】
2019118579.tif 000006
【図５】
2019118579.tif 000007
【図６】
2019118579.tif 000008
【図７】
2019118579.tif 000009
【図８】
2019118579.tif 000010
【図９】
2019118579.tif 000011
【図１０】
2019118579.tif 000012
【図１１】
2019118579.tif 000013